(57)【要約】      （修正有）【課題】画像処理装置本体に２つの操作部を設け、必要に応じて最適な操作部を使用できる画像処理装置を提供する。【解決手段】第１操作部１３０は、画像処理装置の状態と処理内容とを表示する表示部１３１を有し、表示部１３１において表示部１３１に文字入力が可能な第１入力キーを表示する。第２操作部１４０は、画像処理装置において外部に露出する露出位置と内部に収納する収納位置との間で変位可能であり、表示部１３１に文字入力が可能な第２入力キーを有する。ＣＰＵ１６０は、第２操作部１４０を露出位置と収納位置との間で変位させる。第１操作部１３０は、ＣＰＵ１６０によって第２操作部１４０を収納位置から露出位置へと変位させる第１変位キー１３２およびＣＰＵ１６０によって第２操作部１４０を露出位置から収納位置へと変位させる第２変位キー１３７を有する。【選択図】図４
2010103586.tif 000002
【特許請求の範囲】
【請求項１】
画像処理装置本体の状態と処理内容とを表示する表示部を有し、前記表示部において前記表示部に文字入力が可能な第１入力キーを表示する第１操作部と、
前記画像処理装置本体において外部に露出する露出位置と内部に収納する収納位置との間で変位可能であり、前記表示部に文字入力が可能な第２入力キーを有する第２操作部と、
前記第２操作部を前記露出位置と前記収納位置との間で変位させる制御部と、
を備え、
前記第１操作部は、前記制御部によって前記第２操作部を前記収納位置から前記露出位置へと変位させる第１変位キーおよび前記制御部によって前記第２操作部を前記露出位置から前記収納位置へと変位させる第２変位キーを有する画像処理装置。
【請求項２】
前記第２操作部は、前記露出位置において前記表示部の下部に位置する請求項１に記載の画像処理装置。
【請求項３】
前記第１変位キーは、前記表示部の画面を電子メールアドレス入力画面へ遷移させるキーである請求項１または２に記載の画像処理装置。
【請求項４】
前記第２変位キーは、前記表示部の画面を前記電子メールアドレス入力画面から他の画面へ遷移させるキーである請求項３に記載の画像処理装置。
【請求項５】
前記第２変位キーは、電子メールを送信する送信キーである請求項１〜４のいずれか１項に記載の画像処理装置。
【請求項６】
前記第１変位キーは、前記表示部の画面をファイル名入力画面へ遷移させるキーである請求項１〜５のいずれか１項に記載の画像処理装置。
【請求項７】
前記第２変位キーは、前記表示部の画面を前記ファイル名入力画面から他の画面へ遷移させるキーである請求項６に記載の画像処理装置。
【請求項８】
前記制御部は、前記第２操作部が前記露出位置に変位する前に、前記第２操作部が前記露出位置に変位することを前記表示部に表示させる請求項１〜７のいずれか１項に記載の画像処理装置。
【発明の詳細な説明】
【技術分野】
【０００１】
本発明は、シートが積載される積載部の上方に配置される操作部を備える画像処理装置に関する。
【背景技術】
【０００２】
画像形成装置および画像読取装置等の画像処理装置では、画像処理装置本体を制御するための入力キーを含む操作部が、操作性向上のために画像処理装置本体の上部に配置されることが多い。また、近年、画像処理装置の多機能化に伴う入力キー数の増加および操作性向上のための入力キーの大型化の要求が高く、操作部を大型化する必要が生じている。
【０００３】
そこで、特許文献１では、キーボード等の操作部により入力キーの大型化に対応した装置であって、通常時には装置内に操作部が格納されており、使用時には装置内から手前側へ操作部をスライド移動させる装置が開示されている。
【特許文献１】特開２００６−２８５５９３号公報
【発明の開示】
【発明が解決しようとする課題】
【０００４】
特許文献１では、装置には操作部が一つしか設けられていない。したがって、装置へのキー入力が簡単な場合でも常に操作部を手前側へスライド移動させる必要があり、装置を使用する度に煩雑さがついてまわるという問題があった。
【０００５】
そこで本発明の目的は、上記課題に鑑み、画像処理装置本体に２つの操作部を設け、必要に応じて最適な操作部を使用できる画像処理装置を提供することにある。
【課題を解決するための手段】
【０００６】
本発明の画像処理装置は、第１操作部、第２操作部および制御部を備える。
【０００７】
第１操作部は、画像処理装置本体の状態と処理内容とを表示する表示部を有し、表示部において表示部に文字入力が可能な第１入力キーを表示する。第２操作部は、画像処理装置本体において外部に露出する露出位置と内部に収納する収納位置との間で変位可能であり、表示部に文字入力が可能な第２入力キーを有する。制御部は、第２操作部を露出位置と収納位置との間で変位させる。
【０００８】
第１操作部は、制御部によって第２操作部を収納位置から露出位置へと変位させる第１変位キーおよび制御部によって第２操作部を露出位置から収納位置へと変位させる第２変位キーを有する。
【０００９】
この構成では、操作部として、第１操作部および第２操作部を備える。この２つの操作部は、それぞれ文字入力が可能な入力キーを有する。第１入力キーを使用して文字入力をする利点は、特別な操作をすることなくそのまま文字を入力できる点である。しかし、第１入力キーは、表示部の限られたスペースに表示されるため、キーの一つ一つが小さい。それに対して第２入力キーは、表示部よりも広いスペースに配置されるため、キーの一つ一つが大きい。そのため、第２入力キーを使用して文字入力をする利点は、第１入力キーを使用するよりも文字を入力しやすい点である。したがって、簡単な文字入力をする場合には第１変位キーを押さずに第１入力キーを使用し、煩雑な文字入力をする場合に第１変位キーを押して第２入力キーを使用するようにすれば、必要に応じて最適な操作部（入力キー）を使用することができる。また、第２操作部を使用後に第２変位キーを押して第２操作部を収納位置へと変位させれば、ユーザの邪魔になることがない。
【００１０】
第２操作部は、露出位置において表示部の下部に位置すると好ましい。
【００１１】
この構成では、第２操作部が露出したときに表示部の下部に位置することにより、入力した文字列を表示部で確認しながら第２入力キーで文字を入力することができるため、容易に文字入力ができる。
【００１２】
第１変位キーは、表示部の画面を電子メールアドレス入力画面へ遷移させるキーであると好ましい。
【００１３】
この構成では、電子メールアドレスを入力する場合には自動的に第２操作部が露出位置に位置する。電子メールアドレスは、一般的に複雑な文字配列となっているため、第１入力キーでは文字が入力しづらい。そこで、電子メールアドレスを入力する場合に自動的に第２操作部が露出位置に位置するようにすれば、第２入力キーを使用することにより電子メールアドレスの入力がしやすくなる。
【００１４】
第２変位キーは、表示部の画面を電子メールアドレス入力画面から他の画面へ遷移させるキーであると好ましい。
【００１５】
この構成では、電子メールアドレスの入力が終了して他の画面に遷移させるときに第２操作部を収納位置へと変位させることにより、使用後の第２操作部がユーザの邪魔になることがない。
【００１６】
第２変位キーは、電子メールを送信する送信キーであると好ましい。
【００１７】
この構成では、電子メールアドレスの入力を終了して電子メールを送信するときに第２操作部を収納位置へと変位させることにより、使用後の第２操作部がユーザの邪魔になることがない。
【００１８】
第１変位キーは、表示部の画面をファイル名入力画面へ遷移させるキーであると好ましい。
【００１９】
この構成では、ファイル名を入力する場合には自動的に第２操作部が露出位置に位置する。ファイル名は、一般的に複雑な文字配列となることが多いため、第１入力キーでは文字が入力しづらい。そこで、ファイル名を入力する場合に自動的に第２操作部が露出位置に位置するようにすれば、第２入力キーを使用することによりファイル名の入力がしやすくなる。
【００２０】
第２変位キーは、表示部の画面をファイル名入力画面から他の画面へ遷移させるキーであると好ましい。
【００２１】
この構成では、ファイル名の入力が終了して他の画面に遷移させるときに第２操作部を収納位置へと変位させることにより、使用後の第２操作部がユーザの邪魔になることがない。
【００２２】
制御部は、第２操作部が露出位置に変位する前に、第２操作部が露出位置に変位することを表示部に表示させると好ましい。
【００２３】
画像処理装置の操作を行っている途中に急に第２操作部がユーザ側に露出すると、ユーザは困惑する。そこで、第２操作部が露出する前に表示部に注意を促すことにより、第２操作部が露出することをユーザに事前に認識させることができる。
【発明の効果】
【００２４】
本発明における画像処理装置は、画像処理装置本体に２つの操作部を設け、必要に応じて最適な操作部を使用できる。
【発明を実施するための最良の形態】
【００２５】
以下、本発明の最良の実施形態に係る画像処理装置を、図面を参照にしつつ詳細に説明する。
【００２６】
図１は、本発明の第１実施形態に係る画像処理装置の構成を示す図である。
【００２７】
画像処理装置１００は、外部から伝達された画像データに応じて、所定のシート（記録用紙）に対して多色および単色の画像を形成するもので、装置本体１１０と、自動原稿処理装置１２０とにより構成されている。装置本体１１０は、露光ユニット１、現像器２、感光体ドラム３、クリーナユニット４、帯電器５、中間転写ベルトユニット６、定着ユニット７、給紙カセット８１および排紙トレイ９１を有して構成されている。
【００２８】
装置本体１１０の上部には、画像読取装置に該当するものであり、原稿が載置される透明ガラスからなる原稿載置台９２が設けられ、原稿載置台９２の上側には自動原稿処理装置１２０が取り付けられている。自動原稿処理装置１２０は、原稿載置台９２の上に自動で原稿を搬送する。また、自動原稿処理装置１２０は、矢印Ｍ方向に回動自在に構成され、原稿載置台９２の上を開放することにより原稿を手置きで置くことができるようになっている。
【００２９】
画像処理装置１００において扱われる画像データは、ブラック（Ｋ）、シアン（Ｃ）、マゼンタ（Ｍ）およびイエロー（Ｙ）の各色を用いたカラー画像に応じたものである。したがって、現像器２、感光体ドラム３、帯電器５およびクリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００３０】
帯電器５は、感光体ドラム３の表面を所定の電位に均一に帯電させるための帯電手段であり、図１に示すようなチャージャ型の他、接触型のローラ型やブラシ型の帯電器が用いられることもある。
【００３１】
露光ユニット１は、レーザ射出部および反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。露光ユニット１としては、この他発光素子をアレイ状に並べた例えばＥＬやＬＥＤ書き込みヘッドを用いる手法も採用できる。
【００３２】
露光ユニット１は、帯電された感光体ドラム３を入力された画像データに応じて露光することにより、その表面に、画像データに応じた静電潜像を形成する機能を有する。現像器２は、それぞれの感光体ドラム３上に形成された静電潜像を４色（ＹＭＣＫ）のトナーにより顕像化するものである。また、クリーナユニット４は、現像・画像転写後における感光体ドラム３上の表面に残留したトナーを除去・回収する。
【００３３】
感光体ドラム３の上方に配置されている中間転写ベルトユニット６は、中間転写ベルト６１、中間転写ベルト駆動ローラ６２、中間転写ベルト従動ローラ６３、中間転写ローラ６４および中間転写ベルトクリーニングユニット６５を備えている。中間転写ローラ６４は、ＹＭＣＫ用の各色に対応して４本設けられている。
【００３４】
中間転写ベルト駆動ローラ６２、中間転写ベルト従動ローラ６３および中間転写ローラ６４は、中間転写ベルト６１を張架して回転駆動させる。また、各中間転写ローラ６４は、感光体ドラム３のトナー像を、中間転写ベルト６１上に転写するための転写バイアスを与える。
【００３５】
中間転写ベルト６１は、各感光体ドラム３に接触するように設けられている。そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００３６】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８ｍｍ〜１０ｍｍの金属（例えばステンレス）軸をベースとし、その表面が導電性の弾性材（例えばＥＰＤＭ、発泡ウレタン等）により覆われているローラである。この導電性の弾性材により、中間転写ベルト６１に対して均一に高電圧を印加することができる。本実施形態では転写電極としてローラ形状を使用しているが、それ以外にブラシなども用いることが可能である。
【００３７】
上述のように各感光体ドラム３上で各色相に応じて顕像化された静電像は中間転写ベルト６１で積層される。このように、積層された画像情報は中間転写ベルト６１の回転によって、用紙と中間転写ベルト６１との接触位置に配置される転写ローラ１０によって用紙上に転写される。
【００３８】
このとき、中間転写ベルト６１と転写ローラ１０は所定ニップで圧接されるとともに、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは中間転写ベルト駆動ローラ６２のいずれか一方を硬質材料（金属等）とし、他方を弾性ローラ等の軟質材料（弾性ゴムローラまたは発泡性樹脂ローラ等）としている。
【００３９】
また、上記のように、感光体ドラム３に接触することにより中間転写ベルト６１に付着したトナーもしくは転写ローラ１０によって用紙上に転写が行われず中間転写ベルト６１上に残存したトナーは、次工程でトナーの混色を発生させる原因となるため、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００４０】
給紙カセット８１は、画像形成に使用するシート（記録用紙）を蓄積しておくためのトレイであり、装置本体１１０の露光ユニット１の下側に設けられている。また、手差し給紙カセット８２にも画像形成に使用するシートを置くことができる。さらに、装置本体１１０の上方に設けられている排紙トレイ９１は、印刷済みのシートをフェイスダウンで集積するためのトレイである。
【００４１】
装置本体１１０には、給紙カセット８１および手差し給紙カセット８２のシートを転写ローラ１０や定着ユニット７を経由させて排紙トレイ９１に送るための、略垂直形状の用紙搬送路Ｓが設けられている。給紙カセット８１ないし手差し給紙カセット８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０および定着ユニット７が配置されている。
【００４２】
搬送ローラ１２ａ〜１２ｄは、シートの搬送を促進・補助するための小型のローラであり、用紙搬送路Ｓに沿って複数設けられている。ピックアップローラ１１ａは、給紙カセット８１の端部近傍に備えられ、給紙カセット８１からシートを１枚ずつピックアップして用紙搬送路Ｓに供給する。同様にピックアップローラ１１ｂは、手差し給紙カセット８２の端部近傍に設けられ、手差し給紙カセット８２からシートを１枚ずつピックアップして用紙搬送路Ｓに供給する。
【００４３】
図２は、本発明の第１実施形態に係る画像処理装置の斜視図である。
【００４４】
画像処理装置１００は、タッチパネル式の表示部１３１およびスタートキーやクリアキーなどの複数のキー１３４を有する第１操作部１３０ならびに表示部１３１へ文字入力をするための第２入力キー１４９を含むキーボード１４２を有する第２操作部１４０を備える。表示部１３１には、画像処理装置１００の状態と処理内容とが表示される。また、画像処理装置１００は、画像処理装置１００で読み取ったデータを保存するためのＵＳＢメモリー１５０が着脱可能となっている。
【００４５】
第１操作部１３０は、画像処理装置１００の上面に固定的に配置されている。第２操作部１４０は、軸Ｘ方向において画像処理装置１００の外部に露出する露出位置と画像処理装置１００の内部に収納する収納位置との間で変位可能である。図２では、第２操作部１４０が露出位置に位置する様子を示している。第２操作部１４０は、露出位置において表示部１３１の下部に位置する。したがって、入力した文字列を表示部１３１で確認しながら第２入力キー１４９で文字を入力することができるため、容易に文字入力ができる。
【００４６】
図３は、本発明の第１実施形態に係る画像処理装置の第２操作部を示す図である。
【００４７】
図３（Ａ）は、第２操作部１４０を上面から見た図で、図３（Ｂ）は、第２操作部１４０を水平方向から見た図である。
【００４８】
キーボード１４２は、樹脂製あるいは板金のキーボードトレイ１４１に固定されている。キーボードトレイ１４１は、その両端が画像処理装置１００に設けられたスライドレールに固定され、スライドレールの伸縮によりキーボード１４２を含むキーボードトレイ１４１が変位可能となる。
【００４９】
キーボードトレイ１４１の変位方向における幅方向の一端には、ラックギア１４５が設けられている。ラックギア１４５は、画像処理装置１００に設けられた駆動モータ１４３の回転軸に嵌挿されたピニオンギア１４４と噛合している。駆動モータ１４３は、正逆両回転が可能である。したがって、キーボードトレイ１４１は、ラックピニオン駆動方式で可動し、キーボード１４２は、露出位置と収納位置との間で変位する。
【００５０】
キーボードトレイ１４１の変位方向における幅方向の他端には、軸受部１４８Ａ，１４８Ｂが設けられている。軸受部１４８Ａ，１４８Ｂは、キーボードトレイ１４１の変位方向と平行に孔が開いており、画像処理装置１００に固定配置された軸１４６がその孔を貫通して係合している。
【００５１】
軸１４６の一端にはストッパ１４７Ａが、他端にはストッパ１４７Ｂが設けられている。ストッパ１４７Ａ，１４７Ｂは、キーボードトレイ１４１の可動範囲を規制するための部材である。軸受部１４８Ａ，１４８Ｂは、軸１４６を摺動するが、キーボード１４２の露出方向においては軸受部１４８Ａがストッパ１４７Ａに当接するまで、キーボード１４２の収納方向においては軸受部１４８Ｂがストッパ１４７Ｂに当接するまでの範囲でキーボードトレイ１４１が可動する。
【００５２】
図３（Ａ）に示すように、キーボード１４２は、露出位置において表示部１３１の下部に位置する。したがって、入力した文字列を表示部１３１で確認しながら第２入力キー１４９で文字を入力することができるため、容易に文字入力ができる。
【００５３】
図４は、本発明の第１実施形態に係る画像処理装置の主要な構成を示すブロック図である。
【００５４】
ＣＰＵ１６０は、第１操作部１３０、第２操作部１４０、駆動モータ１４３、メモリー１６１、ＨＤＤ１６２およびＬＣＤコントローラ１６３に接続し、各部を総括的に制御する。ＣＰＵ１６０は、本発明の制御部に相当する。
【００５５】
メモリー１６１は、ＣＰＵ１６０による画像処理装置１００の制御に必要なデータを記憶している。画像処理装置１００によって読み取られた画像等のデータは、一旦ＨＤＤ１６２に格納される。ＣＰＵ１６０は、必要に応じてＨＤＤ１６２に格納されたデータを読み出して画像処理装置１００の制御を行う。
【００５６】
第１操作部１３０には、第２操作部１４０を収納位置から露出位置へと変位させるためのキーである第１変位キー１３２および第２操作部１４０を露出位置から収納位置へと変位させるためのキーである第２変位キー１３７が設けられている。本実施形態では、第１変位キー１３２および第２変位キー１３７は表示部１３１に表示されるキーとしているが、これに限るものではない。キー１３４と同様に画像処理装置１００の上面に固定的に配置されてもよい。
【００５７】
ＣＰＵ１６０は、第１変位キー１３２が押下されると、駆動モータ１４３を駆動させて第２操作部１４０を収納位置から露出位置へと変位させる。するとユーザは、キーボード１４２の第２入力キー１４９を使って文字入力をすることが可能となる。キーボード１４２で入力された文字は、ＬＣＤコントローラ１６３を介して表示部１３１に表示される。文字入力が終わって第２変位キー１３７が押下されると、ＣＰＵ１６０は、駆動モータ１４３を駆動させて第２操作部１４０を露出位置から収納位置へと変位させる。文字入力が必要なときにだけ第２操作部１４０を露出させ、文字入力が終わると第２操作部１４０を収納させることにより、文字入力を快適に行うことができ、かつ、文字入力後に第２操作部１４０がユーザの邪魔になることがない。
【００５８】
図５は、本発明の第１実施形態に係る画像処理装置の第１操作部における表示部を示す図である。
【００５９】
図５（Ａ）は、画像処理装置１００で原稿を読み取り、その読み取ったデータを送信するための設定画面である。ここで、送信先を指定するためにアドレス入力キー１３２Ａを押下すると、図５（Ｂ）の電子メールアドレス入力画面に遷移するとともに第２操作部１４０が収納位置から露出位置へと変位する。ここで、アドレス入力キー１３２Ａは、本発明の第１変位キー１３２に相当する。
【００６０】
表示部１３１が図５（Ｂ）に遷移すると、第１入力キー１３３Ａが表示部１３１に表示される。ユーザは、第１入力キー１３３Ａを使って電子メールアドレスを入力することができるし、また、第２操作部１４０の第２入力キー１４９を使って電子メールアドレスを入力することができる。第１入力キー１３３Ａは、図５（Ｂ）に示すように、表示部１３１の限られたスペースに表示されるため、キーの一つ一つが小さい。それに対して第２入力キー１４９は、図３（Ａ）に示すように、表示部１３１よりも広いキーボード１４２の全体に配置されるため、キーの一つ一つが大きい。電子メールアドレスは、一般的に複雑な文字配列となっているため、第２操作部１４０を使って文字入力をすると効率がよい。入力した電子メールアドレスは、バー１３５に表示される。
【００６１】
図５（Ｂ）において、電子メールアドレスの入力が終わってＯＫキー１３７Ａが押下されると、図５（Ａ）に遷移するとともに第２操作部１４０が露出位置から収納位置へと変位する。不要な第２操作部１４０を収納位置へ自動的に変位させることで、第２操作部１４０がユーザの邪魔になることがない。また、キャンセルキー１３７Ｂが押下されることによっても第２操作部１４０が露出位置から収納位置へと変位する。ここで、ＯＫキー１３７Ａおよびキャンセルキー１３７Ｂは、本発明の第２変位キー１３７に相当する。
【００６２】
なお、予め電子メールアドレスが設定されており、アドレス入力キー１３２Ａが押下されて表示部１３１が図５（Ｂ）に遷移し、ＯＫキー１３７Ａおよびキャンセルキー１３７Ｂのいずれでもない他のキー（図５のコピーキー、イメージ送信キーまたはドキュメントファイリングキー等）によって表示部１３１が図５（Ａ）に遷移した場合に、設定したアドレス先にデータを送信するために送信キー１３７Ｃが押下されたときに第２操作部１４０が収納位置へと変位するようにしてもよい。ここで、送信キー１３７Ｃは、本発明の第２変位キー１３７に相当する。
【００６３】
また、予め電子メールアドレスが設定されており、アドレス入力キー１３２Ａが押下されて表示部１３１が図５（Ｂ）に遷移した場合にキー（スタートキー）１３４が押下されたときに、原稿載置台９２上の原稿の読み取りを開始するとともに、第２操作部１４０が露出位置から収納位置へと変位するようにしてもよい。ここで、スタートキー１３４は、本発明の第２変位キー１３７に相当する。
【００６４】
さらに、スタートキー１３４が押下されると、原稿載置台９２上の原稿の読み取りを開始し、原稿の読み取り終了後にその読み取ったデータを設定したアドレス先に送信するように設定されている場合、上記のようにスタートキー１３４が押下されたときに、データの送信が完了した時点で第２操作部１４０が露出位置から収納位置へと変位するようにしてもよい。
【００６５】
図６は、本発明の第１実施形態に係る画像処理装置の第１操作部における表示部を示す図である。
【００６６】
図６（Ａ）は、画像処理装置１００で原稿を読み取り、その読み取ったデータ（スキャンデータ）をＵＳＢメモリー１５０に送信するための設定画面である。ここで、スキャンデータのファイル名を入力するためにファイル名キー１３２Ｂを押下すると、図６（Ｂ）のファイル名入力画面に遷移するとともに第２操作部１４０が収納位置から露出位置へと変位する。ここで、ファイル名キー１３２Ｂは、本発明の第１変位キー１３２に相当する。
【００６７】
表示部１３１が図６（Ｂ）に遷移すると、第１入力キー１３３Ｂが表示部１３１に表示される。ユーザは、第１入力キー１３３Ｂを使ってファイル名を入力することができるし、また、第２操作部１４０の第２入力キー１４９を使ってファイル名を入力することができる。第１入力キー１３３Ｂは、図６（Ｂ）に示すように、表示部１３１の限られたスペースに表示されるため、キーの一つ一つが小さい。それに対して第２入力キー１４９は、図３（Ａ）に示すように、表示部１３１よりも広いキーボード１４２の全体に配置されるため、キーの一つ一つが大きい。ファイル名は、一般的に複雑な文字配列となることが多いため、第２操作部１４０を使って文字入力をすると効率がよい。入力したファイル名は、バー１３６に表示される。
【００６８】
図６（Ｂ）において、ファイル名の入力が終わってＯＫキー１３７Ｄが押下されると、図６（Ａ）に遷移するとともに第２操作部１４０が露出位置から収納位置へと変位する。不要な第２操作部１４０を収納位置へ自動的に変位させることで、第２操作部１４０がユーザの邪魔になることがない。また、キャンセルキー１３７Ｅが押下されることによっても第２操作部１４０が露出位置から収納位置へと変位する。ここで、ＯＫキー１３７Ｄおよびキャンセルキー１３７Ｅは、本発明の第２変位キー１３７に相当する。
【００６９】
また、予めファイル名が設定されており、ファイル名キー１３２Ｂが押下されて表示部１３１が図６（Ｂ）に遷移した場合にスタートキー１３４が押下されたときに、原稿載置台９２上の原稿の読み取りを開始するとともに、第２操作部１４０が露出位置から収納位置へと変位するようにしてもよい。
【００７０】
さらに、スタートキー１３４が押下されると、原稿載置台９２上の原稿の読み取りを開始し、原稿の読み取り終了後にその読み取ったデータをＵＳＢメモリー１５０に送信するように設定されている場合、上記のようにスタートキー１３４が押下されたときに、データの送信が完了した時点で第２操作部１４０が露出位置から収納位置へと変位するようにしてもよい。
【００７１】
図７は、本発明の第１実施形態に係る画像処理装置の制御内容を示すフローチャートである。
【００７２】
表示部１３１において図５（Ａ）が表示されているときにアドレス入力キー１３２Ａが押下されると（Ｓ１１０）、ＣＰＵ１６０は、表示部１３１を図５（Ａ）から図５（Ｂ）へ遷移させる（Ｓ１２０）とともに駆動モータ１４３を駆動させる（Ｓ１３０）。駆動モータ１４３の駆動によって第２操作部１４０が収納位置から露出位置へと変位し、第２操作部１４０が露出位置まで露出したら（Ｓ１４０）、ＣＰＵ１６０は、駆動モータ１４３を停止させる（Ｓ１５０）。ここで、ＣＰＵ１６０は、第２操作部１４０が収納位置から露出位置へと変位する間の時間をみて駆動モータ１４３の停止タイミングを計っている。該時間は、メモリー１６１に記憶されている。
【００７３】
図５（Ｂ）において電子メールアドレスが入力された後にＯＫキー１３７Ａが押下される（Ｓ１６０）か、図５（Ｂ）から他の画面に遷移させるためにキャンセルキー１３７Ｂが押下される（Ｓ１７０）か、原稿載置台９２に載置された原稿を読み取るためにスタートキー１３４が押下される（Ｓ１８０）か、または図５（Ｂ）において他のキー（コピーキー、イメージ送信キーまたはドキュメントファイリングキー等）が押下されて図５（Ａ）に遷移し、設定したアドレス先にデータを送信するために送信キー１３７Ｃが押下された場合（Ｓ１９０）、ＣＰＵ１６０は、駆動モータ１４３を駆動させる（Ｓ２００）。Ｓ２００では、駆動モータ１４３は、Ｓ１３０とは逆方向に回転する。駆動モータ１４３の駆動によって第２操作部１４０が露出位置から収納位置へと変位し、第２操作部１４０が収納位置まで収納されたら（Ｓ２１０）、ＣＰＵ１６０は、駆動モータ１４３を停止させる（Ｓ２２０）。ここで、ＣＰＵ１６０は、第２操作部１４０が露出位置から収納位置へと変位する間の時間をみて駆動モータ１４３の停止タイミングを計っている。該時間は、メモリー１６１に記憶されている。
【００７４】
図８は、本発明の第１実施形態に係る画像処理装置の制御内容を示すフローチャートである。
【００７５】
表示部１３１において図６（Ａ）が表示されているときにファイル名キー１３２Ｂが押下されると（Ｓ３１０）、ＣＰＵ１６０は、表示部１３１を図６（Ａ）から図６（Ｂ）へ遷移させる（Ｓ３２０）とともに駆動モータ１４３を駆動させる（Ｓ３３０）。駆動モータ１４３の駆動によって第２操作部１４０が収納位置から露出位置へと変位し、第２操作部１４０が露出位置まで露出したら（Ｓ３４０）、ＣＰＵ１６０は、駆動モータ１４３を停止させる（Ｓ３５０）。ここで、ＣＰＵ１６０は、第２操作部１４０が収納位置から露出位置へと変位する間の時間をみて駆動モータ１４３の停止タイミングを計っている。該時間は、メモリー１６１に記憶されている。
【００７６】
図６（Ｂ）においてファイル名が入力された後にＯＫキー１３７Ｄが押下される（Ｓ３６０）か、図６（Ｂ）から他の画面に遷移させるためにキャンセルキー１３７Ｅが押下される（Ｓ３７０）か、または原稿載置台９２に載置された原稿を読み取るためにスタートキー１３４が押下された場合（Ｓ３８０）、ＣＰＵ１６０は、駆動モータ１４３を駆動させる（Ｓ３９０）。Ｓ３９０では、駆動モータ１４３は、Ｓ３３０とは逆方向に回転する。駆動モータ１４３の駆動によって第２操作部１４０が露出位置から収納位置へと変位し、第２操作部１４０が収納位置まで収納されたら（Ｓ４００）、ＣＰＵ１６０は、駆動モータ１４３を停止させる（Ｓ４１０）。ここで、ＣＰＵ１６０は、第２操作部１４０が露出位置から収納位置へと変位する間の時間をみて駆動モータ１４３の停止タイミングを計っている。該時間は、メモリー１６１に記憶されている。
【００７７】
図９は、本発明の第２実施形態に係る画像処理装置の第１操作部における表示部を示す図である。
【００７８】
本発明の第１実施形態と第２実施形態の違いについて、図５を例にとって説明する。本発明の第１実施形態では、図５（Ａ）においてアドレス入力キー１３２Ａが押下されると、図５（Ｂ）に遷移するとともに第２操作部１４０が収納位置から露出位置へと変位する。それに対して、本発明の第２実施形態では、アドレス入力キー１３２Ａが押下されると、図５（Ｂ）に遷移してから所定時間経過後に第２操作部１４０が変位するものとする。図６においてファイル名キー１３２Ｂが押下されたときも同様の動作が行われる。
【００７９】
本発明の第２実施形態では、この所定時間の間に、表示部１３１において第２操作部１４０が露出位置へ変位することをユーザに対して知らせるためのメッセージ１７０を表示する。ユーザは、通常、第１操作部１３０の前に立って第１操作部１３０を操作するが、ユーザが本発明の機能を知らない場合、急に第２操作部１４０が露出すると困惑する虞がある。したがって、第２操作部１４０が露出する前に表示部１３１において第２操作部１４０が露出する旨を表示することにより、第２操作部１４０が露出することをユーザに事前に認識させることができる。
【００８０】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００８１】
【図１】本発明の第１実施形態に係る画像処理装置の構成を示す図である。
【図２】本発明の第１実施形態に係る画像処理装置の斜視図である。
【図３】本発明の第１実施形態に係る画像処理装置の第２操作部を示す図である。
【図４】本発明の第１実施形態に係る画像処理装置の主要な構成を示すブロック図である。
【図５】本発明の第１実施形態に係る画像処理装置の第１操作部における表示部を示す図である。
【図６】本発明の第１実施形態に係る画像処理装置の第１操作部における表示部を示す図である。
【図７】本発明の第１実施形態に係る画像処理装置の制御内容を示すフローチャートである。
【図８】本発明の第１実施形態に係る画像処理装置の制御内容を示すフローチャートである。
【図９】本発明の第２実施形態に係る画像処理装置の第１操作部における表示部を示す図である。
【符号の説明】
【００８２】
１００−画像処理装置
１３０−第１操作部
１３１−表示部
１３２−第１変位キー
１３２Ａ−アドレス入力キー
１３２Ｂ−ファイル名キー
１３３Ａ，１３３Ｂ−第１入力キー
１３７−第２変位キー
１３７Ａ，１３７Ｄ−ＯＫキー
１３７Ｂ，１３７Ｅ−キャンセルキー
１３７Ｃ−送信キー
１４０−第２操作部
１４９−第２入力キー
１６０−ＣＰＵ
【図１】
2010103586.tif 000003
【図２】
2010103586.tif 000004
【図３】
2010103586.tif 000005
【図４】
2010103586.tif 000006
【図５】
2010103586.tif 000007
【図６】
2010103586.tif 000008
【図７】
2010103586.tif 000009
【図８】
2010103586.tif 000010
【図９】
2010103586.tif 000011